(57)【要約】  【課題】  ディスク上のエリアの切り替えを迅速に行い使用性を向上できるディスク再生装置を提供する。  【解決手段】  同一のコンテンツが異なる情報量で記録される第１、第２エリアを有したディスクＤを再生するディスク再生装置１において、ディスク情報を読み取って再生する再生部１１と、ディスク再生開始時に第１エリア及び第２エリアのディスク管理情報を記憶する記憶部８と、第１、第２エリアの一方のエリアを再生中に他方のエリアの再生を指示する切替指示手段９とを備え、切替指示手段９に応答して他方のエリアのディスク管理情報を記憶部８から読み出して他方のエリアを再生する。【選択図】      図２
2006024312.tif 000002
【特許請求の範囲】
【請求項１】
２チャンネルステレオエリアとマルチチャンネルエリアを有したスーパーオーディオＣ
Ｄ層とＣＤエリアを有するＣＤ層とを積層し、２チャンネルステレオエリア、マルチチャ
ンネルエリア及びＣＤエリアに同一のコンテンツが異なる情報量で記録されたハイブリッ
ドディスクを再生するディスク再生装置において、
ディスク情報を読み取って再生する再生部と、ディスク再生開始時に２チャンネルステ
レオエリア、マルチチャンネルエリア及びＣＤエリアのＴＯＣ情報を記憶する記憶部と、
２チャンネルステレオエリア、マルチチャンネルエリア及びＣＤエリアの一のエリアを再
生中に他のエリアの再生を指示する切替指示手段と、コンテンツ内の所定の位置をサーチ
するサーチ手段とを備え、
前記切替指示手段に応答して他のエリアのＴＯＣ情報を前記記憶部から読み出すととも
に、前記切替指示手段の指示があった際のコンテンツ内の再生位置を前記記憶部に記憶し
、切り替えたエリアのコンテンツ内の同じ位置を前記サーチ手段によりサーチして再生を
開始することを特徴とするディスク再生装置。
【請求項２】
同一のコンテンツが異なる情報量で記録される第１、第２エリアを有したディスクを再
生するディスク再生装置において、ディスク情報を読み取って再生する再生部と、ディス
ク再生開始時に第１エリア及び第２エリアのディスク管理情報を記憶する記憶部と、第１
、第２エリアの一方のエリアを再生中に他方のエリアの再生を指示する切替指示手段とを
備え、前記切替指示手段に応答して他方のエリアのディスク管理情報を前記記憶部から読
み出して他方のエリアを再生することを特徴とするディスク再生装置。
【請求項３】
コンテンツ内の所定の位置をサーチするサーチ手段を有し、前記切替指示手段の指示が
あった際のコンテンツ内の再生位置を前記記憶部に記憶して、前記切替指示手段により切
り替えたエリアのコンテンツ内の同じ位置を前記サーチ手段によりサーチして再生を開始
することを特徴とする請求項２に記載のディスク再生装置。
【請求項４】
第１、第２エリアはディスクに積層された第１、第２層にそれぞれ記録されることを特
徴とする請求項２または請求項３に記載のディスク再生装置。
【請求項５】
第１、第２エリアはディスクの同一層を分割して記録されることを特徴とする請求項２
または請求項３に記載のディスク再生装置。
【発明の詳細な説明】
【技術分野】
【０００１】
本発明は、ＣＤ等のディスクを再生するディスク再生装置に関し、特に、同じコンテン
ツが異なる情報量で記録される複数のエリアを有したディスクを再生するディスク再生装
置に関する。
【背景技術】
【０００２】
ＣＤを再生するディスク再生装置はディスク情報を読み取る光ピックアップを有し、光
ピックアップにより読み取ったディスク情報を復調及び復号化して出力する。また、非特
許文献１に開示されるように、オーディオデータの記録方式が従来のＰＣＭ方式と異なる
ＤＳＤ（Direct Stream Digital）方式を用いたスーパーオーディオＣＤ（SUPER AUDIO C
D（登録商標））が規格化されている。これにより、従来のディスク再生装置でも再生可
能なように、同じ音楽をＰＣＭ方式で記録したエリアとＤＳＤ方式で記録したエリアを有
するハイブリッドＣＤが商品化されている。
【０００３】
また、スーパーオーディオＣＤを再生可能なディスク再生装置は、互換性を維持するた
め従来のＰＣＭ方式のＣＤも再生できるようになっている。これにより、ハイブリッドＣ
Ｄを視聴する際にはＰＣＭ方式で記録されたエリアとＤＳＤ方式で記録されたエリアを切
り替えて視聴することができる。
【０００４】
特許文献１にはＰＣＭ方式のオーディオデータとＤＴＳ（Digital Theater System）方
式のオーディオデータが異なるエリアに記録されたＣＤを再生するディスク再生装置が開
示されている。このディスク再生装置によると、エリアを切り替えると同期信号及びヘッ
ダを検出して短時間で再生を開始できるようになっている。
【非特許文献１】ソニー株式会社、"SUPER AUDIO CD"、[online]、２００３年９月１０日、ソニー株式会社、[平成１６年６月３０日検索]、インターネット＜URL:http://www.super-audiocd.com/aboutsacd/format.html＞
【特許文献１】特開２００２−１７０３３０号公報（第２頁−第７頁、第１図）
【発明の開示】
【発明が解決しようとする課題】
【０００５】
しかしながら、上記特許文献１に開示されるディスク再生装置によると、エリアを切り
替える際に、エリア毎に記録される曲数や演奏時間等から成るＴＯＣ情報（Table Of Con
tents）が読み出される。このため、迅速にエリアを切り替えることができず、ユーザの
使用性が悪い問題があった。
【０００６】
本発明は、エリアの切り替えを迅速に行い使用性を向上できるディスク再生装置を提供
することを目的とする。
【課題を解決するための手段】
【０００７】
上記目的を達成するために本発明は、２チャンネルステレオエリアとマルチチャンネル
エリアを有したスーパーオーディオＣＤ層とＣＤエリアを有するＣＤ層とを積層し、２チ
ャンネルステレオエリア、マルチチャンネルエリア及びＣＤエリアに同一のコンテンツが
異なる情報量で記録されたハイブリッドディスクを再生するディスク再生装置において、
ディスク情報を読み取って再生する再生部と、ディスク再生開始時に２チャンネルステ
レオエリア、マルチチャンネルエリア及びＣＤエリアのＴＯＣ情報を記憶する記憶部と、
２チャンネルステレオエリア、マルチチャンネルエリア及びＣＤエリアの一のエリアを再
生中に他のエリアの再生を指示する切替指示手段と、コンテンツ内の所定の位置をサーチ
するサーチ手段とを備え、
前記切替指示手段に応答して他のエリアのＴＯＣ情報を前記記憶部から読み出すととも
に、前記切替指示手段の指示があった際のコンテンツ内の再生位置を前記記憶部に記憶し
、切り替えたエリアのコンテンツ内の同じ位置を前記サーチ手段によりサーチして再生を
開始することを特徴としている。
【０００８】
この構成によると、ハイブリッドディスクを装着すると２チャンネルステレオエリア、
マルチチャンネルエリア及びＣＤエリアのＴＯＣ情報が記憶部に記憶される。ディスク再
生装置は例えば、指定されたＣＤエリアをＴＯＣ情報に基づいて再生する。切替指示手段
により例えばマルチチャンネルエリアに切り替える指示があると、再生中のＣＤエリアの
再生位置が記憶部に記憶され、記憶部からマルチチャンネルエリアのＴＯＣ情報が読み出
される。そして、記憶部から切り替え時の位置を読み出し、サーチ手段によりマルチチャ
ンネルエリアの同じ位置をＴＯＣ情報に基づいてサーチして再生する。
【０００９】
また本発明は、同一のコンテンツが異なる情報量で記録される第１、第２エリアを有し
たディスクを再生するディスク再生装置において、ディスク情報を読み取って再生する再
生部と、ディスク再生開始時に第１エリア及び第２エリアのディスク管理情報を記憶する
記憶部と、第１、第２エリアの一方のエリアを再生中に他方のエリアの再生を指示する切
替指示手段とを備え、前記切替指示手段に応答して他方のエリアのディスク管理情報を前
記記憶部から読み出して他方のエリアを再生することを特徴としている。
【００１０】
この構成によると、ディスクを装着すると第１、第２エリアのディスク管理情報が記憶
部に記憶される。ディスク再生装置は例えば、指定された第１エリアをディスク管理情報
に基づいて再生する。切替指示手段により第２エリアに切り替える指示があると、記憶部
から第２エリアのディスク管理情報が読み出される。そして、ディスク管理情報に基づい
て第２エリアが再生される。ディスク管理情報はデータファイルの記録位置の情報を含み
、例えば、曲数や演奏時間等の情報を有している。
【００１１】
また本発明は、上記構成のディスク再生装置において、コンテンツ内の所定の位置をサ
ーチするサーチ手段を有し、前記切替指示手段の指示があった際のコンテンツ内の再生位
置を前記記憶部に記憶して、前記切替指示手段により切り替えたエリアのコンテンツ内の
同じ位置を前記サーチ手段によりサーチして再生を開始することを特徴としている。
【００１２】
この構成によると、例えば、第１エリアの再生中に切替指示手段により第２エリアに切
り替える指示があると、再生中の第１エリアの位置が記憶部に記憶され、記憶部から第２
エリアのディスク管理情報が読み出される。そして、記憶部から切り替え時の位置を読み
出し、サーチ手段により第２エリアの同じ位置をディスク管理情報に基づいてサーチして
第２エリアが再生される。
【００１３】
また本発明は、上記構成のディスク再生装置において、第１、第２エリアはディスクに
積層された第１、第２層にそれぞれ記録されることを特徴としている。
【００１４】
また本発明は、上記構成のディスク再生装置において、第１、第２エリアはディスクの
同一層を分割して記録されることを特徴としている。
【発明の効果】
【００１５】
本発明によると、ディスク再生開始時に２チャンネルステレオエリア、マルチチャンネ
ルエリア及びＣＤエリアのＴＯＣ情報を記憶し、切り替えたエリアのコンテンツ内の同じ
位置をサーチ手段によりサーチして再生を開始するので、スーパーオーディオＣＤ層とＣ
Ｄ層とを有するハイブリッドディスクの各エリアを迅速に切り替えるとともに、エリアを
切り替えた際にコンテンツの同じ位置から再生を開始することができる。従って、ディス
ク再生装置の使用性を向上することができる。
【００１６】
また本発明によると、ディスク再生開始時に第１、第２エリアのディスク管理情報を記
憶し、エリアの切り替え時に切り替えたエリアのディスク管理情報を記憶部から読み出し
て再生するので、ディスクの各エリアを迅速に切り替えて再生することができる。従って
、ディスク再生装置の使用性を向上することができる。
【００１７】
また本発明によると、切り替える前のエリアのコンテンツ内の再生位置を記憶して切り
替えたエリアの同じ位置をサーチ手段によりサーチして再生を開始するので、エリアを切
り替えた際にコンテンツの同じ位置から再生を開始することができる。
【発明を実施するための最良の形態】
【００１８】
以下に本発明の実施形態を図面を参照して説明する。図１は一実施形態のディスク再生
装置の構成を示すブロック図である。ディスク再生装置１は各部を制御する制御部２を有
している。制御部２には復調部５、駆動部６、デコーダ７、記憶部８、操作部９が接続さ
れる。
【００１９】
駆動部６はディスクＤに書き込まれた情報を読み取る光ピックアップ３を駆動する。光
ピックアップ３にはＲＦアンプ４が接続され、ＲＦアンプ４には復調部５が接続される。
ＲＦアンプ４は光ピックアップ３で検出された高周波の検出信号を増幅する。復調部５は
ＲＦアンプ４で検出された検出信号から音声データを復調する。
【００２０】
制御部２に接続されるデコーダ７は復調部５により復調された音声データを復号化する
。デコーダ７には出力部１０が接続され、復号化された音声データが出力される。従って
、光ピックアップ３、ＲＦアンプ４、復調部５、制御部２、デコーダ７及び出力部１０に
よりディスクに書き込まれた音声データを再生する再生部１１が構成されている。
【００２１】
制御部２に接続される記憶部８はＥＥＰＲＯＭやＲＡＭ等から成り、制御部２の演算結
果等を一時記憶する。操作部９はディスク再生装置１の本体部または本体部と通信可能な
リモートコントローラ（不図示）に設けられ、ユーザ操作によって制御部２に対して各種
指示を行う。
【００２２】
再生部１１はＰＣＭ方式で記録されたＣＤを再生できるとともに、ＤＳＤ方式で記録さ
れたスーパーオーディオＣＤを再生できるようになっている。更に、再生部１１はスーパ
ーオーディオＣＤによる２チャンネルステレオ用に記録されたトラックとマルチチャンネ
ル用に記録されたトラックを再生できるようになっている。
【００２３】
これにより、ＰＣＭ方式のＣＤの再生に加え、一層の記録層に２チャンネルステレオエ
リアとマルチチャンネルエリアとを記録したスーパーオーディオＣＤのシングルレイヤー
ディスクを再生することができる。また、２チャンネルステレオエリアから成る層とマル
チチャンネルエリアから成る層とを積層したスーパーオーディオＣＤのデュアルレイヤー
ディスクを再生することができる。更に、ＣＤエリアを有するＣＤ層と２チャンネルステ
レオエリア及びマルチチャンネルエリアを有するスーパーオーディオＣＤ層とを積層した
ハイブリッドディスクを再生することができる。
【００２４】
図２はディスク再生装置１の動作を示すフローチャートである。ディスク再生装置１に
ディスクＤを装填するとステップ＃１１でハイブリッドディスクを含むスーパーオーディ
オＣＤか否かが判断される。ディスクＤがスーパーオーディオＣＤでない場合はステップ
＃３０に移行する。ステップ＃３０ではディスクＤが通常のＣＤの場合はＣＤを再生する
処理が呼び出される。ディスクＤが通常のＣＤでもない場合は再生できないためエラー処
理が呼び出される。
【００２５】
ディスクＤがスーパーオーディオＣＤの場合はステップ＃１２で全エリアのＴＯＣ情報
が読み出され、記憶部８に記憶される。ここで、ディスクＤがシングルレイヤーディスク
またはデュアルレイヤーディスクの場合は２チャンネルステレオエリアとマルチチャンネ
ルエリアのＴＯＣ情報が読み出される。ディスクＤがハイブリッドディスクの場合は２チ
ャンネルステレオエリア、マルチチャンネルエリア及びＣＤエリアのＴＯＣ情報が読み出
される。
【００２６】
ステップ＃１３では再生されるエリアが操作部９の操作によって指定されるまで待機す
る。再生されるエリアが指定されるとステップ＃１４に移行して指定したエリアのコンテ
ンツがＴＯＣ情報に基づいて再生部１１により再生される。ステップ＃１５では操作部９
の操作によって再生の停止の指示があったか否かが判断される。再生の停止の指示があっ
た場合は再生部１１による再生を停止し、ステップ＃１３に戻って再生開始の指示を待機
する。
【００２７】
再生の停止の指示がない場合はステップ＃１６に移行し、指定したエリアのコンテンツ
の再生が終了したか否かが判断される。再生が終了した場合はステップ＃１３に戻って再
生開始の指示を待機する。コンテンツの再生中の場合はステップ＃１７に移行して操作部
９の操作によって他のエリアに切り替えて再生する指示があったか否かが判断される。
【００２８】
エリアを切り替える指示がない場合はステップ＃１４に戻って再生を継続し、ステップ
＃１４〜＃１７が繰り返し行われる。操作部９によりエリアを切り替える指示があった場
合はステップ＃１８に移行する。尚、操作部９により他のエリアに切り替えて再生を指示
する切替指示手段が構成されている。
【００２９】
ステップ＃１８ではエリアを切り替える指示があった際に再生しているコンテンツの再
生位置が制御部２により検出され、記憶部８にその位置情報が記憶される。ステップ＃１
９では切り替えるエリアのＴＯＣ情報が記憶部８から呼び出される。ステップ＃２０では
ＴＯＣ情報に基づいてデコーダ７が初期化処理される。
【００３０】
ステップ＃２１では記憶部８に記憶された再生位置の位置情報を取出し、位置情報及び
ＴＯＣ情報に基づいて駆動部６により光ピックアップ３を移動する。そして、再生部１１
でディスクから信号を読み取りながら切り替えたエリアをサーチし、コンテンツの同じ位
置が検出される。従って、駆動部６及び再生部１１によってコンテンツ内の所定の位置を
サーチするサーチ手段が構成される。
【００３１】
サーチ手段によりコンテンツの同じ位置を検出するとステップ＃１４に戻る。ステップ
＃１４では切り替えたエリアの再生が再生部１１により行われる。この時、エリアを切り
替える指示をした際のコンテンツの同じ位置から再生が開始される。そして、再生が終了
するとステップ＃１６の判断によりステップ＃１３に戻る。
【００３２】
本実施形態によると、ディスクＤがハイブリッドディスクの場合にはディスク再生開始
時に２チャンネルステレオエリア、マルチチャンネルエリア及びＣＤエリアのＴＯＣ情報
を記憶部に記憶する。ディスクＤがシングルレイヤーディスクまたはデュアルレイヤーデ
ィスクの場合にはディスク再生開始時に２チャンネルステレオエリア及びマルチチャンネ
ルエリアのＴＯＣ情報を記憶部に記憶する。そして、エリアの切り替え時に記憶部からＴ
ＯＣ情報を読み出して再生を行うので、エリアの切り替えを迅速に行うことができる。従
って、ディスク再生装置１の使用性を向上することができる。
【００３３】
また、エリアを切り替える前のコンテンツ内の再生位置を記憶して切り替えたエリアの
同じ位置をサーチ手段によりサーチして再生を開始するので、エリアを切り替えた際にコ
ンテンツの同じ位置から継続して再生することができる。これにより、記録方式の違いに
よる音質等を容易に聞き比べることができ、ディスク再生装置１の使用性をより向上する
ことができる。
【００３４】
尚、本実施形態ではディスクＤがスーパーオーディオＣＤから成っているが、同じコン
テンツを第１、第２エリアに異なる情報量で記録したディスクを再生するディスク再生装
置であってもよい。この時、ＤＶＤ等のディスクにはＴＯＣ情報が記録されないが、デー
タファイルの記録位置の情報を含み、ディスクを管理するディスク管理情報（例えば、曲
数や演奏時間等の情報）をディスク再生開始時に読み取って記憶部８に記憶することによ
り同様の効果を得ることができる。
【産業上の利用可能性】
【００３５】
本発明によると、ＣＤやＤＶＤ等のディスク媒体を再生するディスク再生装置に利用す
ることができる。
【図面の簡単な説明】
【００３６】
【図１】本発明の実施形態のディスク再生装置の構成を示すブロック図
【図２】本発明の実施形態のディスク再生装置の動作を示すフローチャート
【符号の説明】
【００３７】
１    ディスク再生装置
２    制御部
３    光ピックアップ
４    ＲＦアンプ
５    復調部
６    駆動部
７    デコーダ
８    記憶部
９    操作部
１０    出力部
１１    再生部
【図１】
2006024312.tif 000003
【図２】
2006024312.tif 000004